(57)【特許請求の範囲】
【請求項１】
原料である濃塩酸を搬入する搬入手段と、
前記濃塩酸を気化して塩化水素を得る塩酸気化器と、
前記塩酸気化器で気化されない回収希塩酸中に残留する残留塩化水素を分離すると共に、前記塩酸気化器の液面を調整する液面調整器と、
残留塩化水素が除去された回収希塩酸の塩酸濃度を調整する濃度調整タンクと、
濃度調整された希塩酸を貯蔵する副生成物タンクと、
副生成物タンクからの濃度調整された希塩酸を搬出する搬出手段とを具備することを特徴とする塩化水素供給装置。
【請求項２】
石炭焚ボイラからの排ガスに塩化水素を噴霧する噴霧装置と、
塩化水素噴霧後の排ガス中の窒素酸化物を除去すると共に、水銀を酸化する脱硝装置と、
窒素酸化物除去後のガス中の熱を回収するエアヒータと、
熱回収後のガス中の煤塵を除去する集塵機と、
除塵後のガス中の硫黄酸化物を除去する脱硫装置と、
脱硫後のガスを外部に排出する煙突と、
原料である濃塩酸を搬入する搬入手段と、
前記濃塩酸を気化して塩化水素を得る塩酸気化器と、
前記塩酸気化器のからの回収希塩酸から残留する残留塩化水素を分離すると共に、前記塩酸気化器の液面を調整する液面調整器と、
残留塩化水素が分離された回収希塩酸の塩酸濃度を調整する濃度調整タンクと、
所定濃度に濃度調整された希塩酸を貯蔵する副生成物タンクと、
副生成物タンクからの所定濃度の希塩酸を搬出する搬出手段を具備することを特徴とする排ガス処理システム。
【請求項３】
排ガス処理システムに塩化水素を供給する請求項１の塩化水素供給装置と、
前記塩化水素供給装置の原料である濃塩酸の供給量及び使用量、副生成物である希塩酸の生成量、塩酸気化装置で発生する塩化水素の発生量、排ガス中の水銀量の各情報を各々求め、前記情報を演算処理する演算装置と、
石炭焚ボイラで使用する燃料の種類に応じて使用する塩酸量を決定し、原料である濃塩酸を発注すると共に、在庫を管理する在庫管理セクションと、
発生する副生成物である希塩酸の発生量を演算装置で予想すると共に、生成する副生成物である希塩酸を販売するための物流セクションと、を具備する塩化水素供給管理システム。
【請求項４】
請求項３において、
前記物流セクションにおいて、
副生成物である希塩酸の搬出先を、予めオークションにより決定することを特徴とする塩化水素供給管理システム。
【発明の詳細な説明】
【技術分野】
【０００１】
本発明は、塩化水素供給装置、排ガス処理システム及び塩化水素供給管理システムに関するものである。
【背景技術】
【０００２】
火力発電所等の燃焼装置であるボイラから排出される排ガスには毒性の高い水銀が含まれるため、従来から排ガス中の水銀を除去するためのシステムが種々検討されてきた。
【０００３】
通常、ボイラには排ガス中の硫黄分を除去するための湿式の脱硫装置が設けられている。このようなボイラに排ガス処理装置として脱硫装置が付設されてなる排煙処理設備においては、排ガス中の塩素（Ｃｌ）分が多くなると、水に可溶な２価の金属水銀の割合が多くなり、前記脱硫装置で水銀が捕集しやすくなることが、広く知られている。
【０００４】
そこで、近年、ＮＯｘを還元する脱硝装置、および、アルカリ吸収液をＳＯｘ吸収剤とする湿式脱硫装置と組み合わせて、この金属水銀を処理する方法や装置について様々な考案がなされてきた。
【０００５】
排ガス中の金属水銀を処理する方法としては、活性炭やセレンフィルター等の吸着剤による除去方法が知られているが、特殊な吸着除去手段が必要であり、発電所排ガス等の大容量排ガスの処理には適していない。
【０００６】
大容量排ガス中の金属水銀を処理する方法として、煙道中、高温の脱硝装置の前流工程で塩素化剤をガス噴霧し、脱硝触媒上で水銀を酸化（塩素化）させ、水溶性の塩化水銀にしたのち、後流の湿式脱硫装置で吸収させる方法が提案されている（例えば、特許文献１を参照。）。なお、煙道にガス噴霧する装置および技術は脱硝装置のＮＨ3噴霧装置で実用化されており、塩素化剤のガス噴霧にも同様の手段が採用されうる。
【０００７】
【特許文献１】特開平１０−２３０１３７号公報
【発明の開示】
【発明が解決しようとする課題】
【０００８】
ところで、前記提案のような塩化水素等の噴霧による水銀除去システムを採用した場合、３５％塩酸を気化装置において気化させるので、副生成物として原料（３５％塩酸）の約８０％の割合に相当する量の希塩酸が排出されるが、発電所側にとって前記希塩酸は廃棄物になってしまう、という問題がある。
【０００９】
また、発電所で使用する石炭の炭の種類（いわゆる炭種）によって、塩素濃度がバラバラであり、塩素濃度が高い炭種を用いる場合でも２９ｔ／日の量の３５％濃度塩酸が必要となり、それとほぼ同量の希塩酸が排出されることとなる。
このため、廃棄物の希塩酸を処理するために、付帯設備としてリサイクルプラントを建設するとなると、プラントを一式設置する必要があり、その設置費用及び維持費用が嵩むこととなる。
【００１０】
更に、発電設備内に、リサイクルプラントを建てることも考えられるが、希塩酸の処理には不揮発成分が循環、濃縮するため、処理工程の大幅な増設が必要となる。
【００１１】
そこで、副生成物として排出される希塩酸を廃棄処理せず、再利用可能な状態でリサイクルすることが切望されている。
【００１２】
本発明は、以上の課題に鑑み、運転コストが低い塩化水素供給装置、排ガス処理システム及び塩化水素供給管理システムを提供することを目的とする。
【課題を解決するための手段】
【００１３】
上述した課題を解決するための本発明の第１の発明は、原料である濃塩酸を搬入する搬入手段と、前記濃塩酸を気化して塩化水素を得る塩酸気化器と、前記塩酸気化器で気化されない回収希塩酸中に残留する残留塩化水素を分離すると共に、前記塩酸気化器の液面を調整する液面調整器と、残留塩化水素が除去された回収希塩酸の塩酸濃度を調整する濃度調整タンクと、濃度調整された希塩酸を貯蔵する副生成物タンクと、副生成物タンクからの濃度調整された希塩酸を搬出する搬出手段とを具備することを特徴とする塩化水素供給装置にある。
【００１４】
第２の発明は、石炭焚ボイラからの排ガスに塩化水素を噴霧する噴霧装置と、塩化水素噴霧後の排ガス中の窒素酸化物を除去すると共に、水銀を酸化する脱硝装置と、窒素酸化物除去後のガス中の熱を回収するエアヒータと、熱回収後のガス中の煤塵を除去する集塵機と、除塵後のガス中の硫黄酸化物を除去する脱硫装置と、脱硫後のガスを外部に排出する煙突と、原料である濃塩酸を搬入する搬入手段と、前記濃塩酸を気化して塩化水素を得る塩酸気化器と、前記塩酸気化器のからの回収希塩酸から残留する残留塩化水素を分離すると共に、前記塩酸気化器の液面を調整する液面調整器と、残留塩化水素が分離された回収希塩酸の塩酸濃度を調整する濃度調整タンクと、所定濃度に濃度調整された希塩酸を貯蔵する副生成物タンクと、副生成物タンクからの所定濃度の希塩酸を搬出する搬出手段を具備することを特徴とする排ガス処理システムにある。
【００１５】
第３の発明は、排ガス処理システムに塩化水素を供給する第１の発明の塩化水素供給装置と、前記塩化水素供給装置の原料である濃塩酸の供給量及び使用量、副生成物である希塩酸の生成量、塩酸気化装置で発生する塩化水素の発生量、排ガス中の水銀量の各情報を各々求め、前記情報を演算処理する演算装置と、石炭焚ボイラで使用する燃料の種類に応じて使用する塩酸量を決定し、原料である濃塩酸を発注すると共に、在庫を管理する在庫管理セクションと、発生する副生成物である希塩酸の発生量を演算装置で予想すると共に、生成する副生成物である希塩酸を販売するための物流セクションと、を具備する塩化水素供給管理システムにある。
【００１６】
第４の発明は、第３の発明において、前記物流セクションにおいて、副生成物である希塩酸の搬出先を、予めオークションにより決定することを特徴とする塩化水素供給管理システムにある。
【発明の効果】
【００１７】
本発明によれば、廃棄物として排出される希塩酸を所定の濃度の有価な製品として業者に返却することができる。
また、所定濃度の希塩酸を引き取った塩酸処理業者は、必要に応じて塩化水素を注入し、濃塩酸に加工して再利用できる。
また、所定濃度の希塩酸は洗浄剤、排水中和剤、スケール除去剤等の用途にそのまま利用することができる。
更に、原料濃塩酸（例えば３５％塩酸）の運搬用に用いられたタンクなどに、副生成物の濃度調整した希塩酸（例えば２２％塩酸）を積載して運搬できるため、輸送の効率化を図ることができる。
【発明を実施するための最良の形態】
【００１８】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例１】
【００１９】
図１は、実施例１に係る排ガス処理システムの概略構成図である。
図２は、図１の要部である塩化水素供給装置の概略構成図である。
先ず、図１に示すように、本実施例に係る排ガス処理システム１０は、石炭焚ボイラ１１からの排ガス１２中の窒素酸化物を除去すると共に、ガス中に塩化水素２３を噴霧して水銀酸化除去する脱硝装置１３と、窒素酸化物除去後のガス中の熱を回収するエアヒータ１４と、熱回収後のガス中の煤塵を除去する集塵機１５と、除塵後のガス中の硫黄酸化物を除去する脱硫装置１６と、脱硫後のガスを外部に排出する煙突１７と、前記塩化水素２３を発生させる塩化水素供給装置２０とを具備するものである。
なお、図１中、符号４１、４２は水銀モニタ、４３は酸化還元電位測定制御装置（ＯＲＰ）、４５は脱硫装置から排出される水銀を含んだ希硫酸、４６はベルトフィルタ、４７は石膏を図示する。
【００２０】
ここで、前記塩化水素供給装置２０は、図２に示すように、原料である濃塩酸（３５％塩酸）２１を搬入する搬入タンクローリ２２Ａと、前記濃塩酸（３５％塩酸）を気化して塩化水素２３を得る塩酸気化器２４と、前記塩酸気化器２４のからの回収希塩酸２５Ａから残留する残留塩化水素を分離すると共に、前記塩酸気化器２４の液面を調整する液面調整器２７と、残留塩化水素２６が分離された回収希塩酸２５Ｂの塩酸濃度を所定濃度（例えば２２％）に調整する濃度調整タンク２８と、所定濃度に濃度調整された希塩酸２９を貯蔵する副生成物タンク３０と、副生成物タンク３０からの所定濃度の希塩酸２９を搬出する搬出タンクローリ２１Ｂとを具備するものである。
【００２１】
本発明によれば、排ガス処理設備を備えた例えば発電所では、その排ガス処理の際に発生する副生成物として排出される希塩酸をそのままでは廃棄処理せず、再利用可能な状態である所定濃度の希塩酸として排出するので、その希塩酸を再利用することができる。
【００２２】
また、原料の濃塩酸の輸送業者は、原料の約３５％塩酸を供給する運搬手段（例えば、トレーラやタンクローリなどのタンク）によって、原料供給後、タンクを空の状態にして帰るのではなく、排出される所定濃度の希塩酸を積載して持ち帰ることができ、物流サイクルが構築される。
【００２３】
なお、本実施例では、塩酸を搬入・搬出する手段としてタンクローリを用いて説明したが、本発明はこれに限定されるものではなく、タンクローリやトレーラ、貨車等の公知の塩酸運搬手段であればいずれでもよい。
【００２４】
所定濃度の希塩酸としているので、再利用のために販売することが可能な製品にリサイクルできる。
【００２５】
ここで、前記塩化水素供給装置２０で塩酸気化器２４から発生する塩化水素２３は約６０℃であり、蒸気３３を用いた第２の熱交換器により温度を上昇させて、排ガス処理に適した塩化水素濃度が８８％（温度：１４０℃）の塩化水素２３をダクト中に噴霧することで水銀を除去するようにしている。
【００２６】
一方、塩酸気化器２４で塩化水素を気化させた残りの塩酸は回収塩酸２５Ａとして第１の熱交換器３２で熱交換した後に、第３の熱交換器３７で冷却され、さらに液面調整器２７で気液分離を行い、残留塩化水素２６を除去し、回収希塩酸２５Ｂとなる。
そして、この回収希塩酸２５Ｂは、所定濃度以上である場合には、濃度調整タンク２８に導入され、水４０を用いて希釈することで所定濃度（例えば２２％）に調整して濃度調整希塩酸２９として副生成物タンク３０に導入され、搬出タンクローリ２２Ｂに積み込まれて塩酸供給業者等へ運ばれる。
【００２７】
ここで、濃度調整するのは、塩酸気化器２４での気化率（％）と時間（Ｔ）との関係は、図３及び図４に気化率が低い場合には、回収塩酸２５Ａ側の塩酸濃度が高いまま推移することとなる。なお、この現象は気化停止の場合にも起こる。
よって、所定の安定状態に達するまでは、濃度調整タンク２８側に導入するように、バルブＶ1を解放して、水４０で希釈するようにしている。そして、気化率が定常状態に達した後には、回収側の塩酸濃度は２２％前後となるので、バルブＶ2を解放してＶ1を閉じて、直接副生成物タンク３０に導入するようにしている。
【００２８】
このように、塩酸気化器２４での塩化水素２３の気化率が一定となるまでは、回収塩酸２５Ａの濃度が高いので、濃度調整した後に、副生成物タンク３０に導入するようにして、所定濃度の希塩酸となるようにしている。
【００２９】
この塩酸濃度の計測は、公知の濃度計測方法を用いることができる。公知の濃度計測方法としては、例えばＪＩＳ  Ｋ  １３１０に示す方法、ＪＩＳ  Ｋ１３１０−１−１中和滴定法、ＪＩＳ  Ｋ１３１０−１−１電位差滴定法、ＪＩＳ１３１０−２密度測定法の他、ｐＨ計による濃度推定方法、イオン電極による濃度推定方法等を適宜用いることができる。
【００３０】
また、ボイラ燃焼の燃料である石炭の炭種に応じて、含有する塩素量が大幅に変動するので、石炭の種類に応じて、塩化水素の供給量が変動することとなるので、石炭の種類に応じて塩酸の消費量が異なるので、予め予想して燃料を発注する必要がある。
【００３１】
また、回収された副生成物である希塩酸の用途は、再度塩化水素を吹き込んで高濃度の塩酸として再利用する以外に、洗浄用塩酸、排水処理用塩酸等に用いることができる。
【００３２】
本発明によれば、副生成物として発生する塩酸を所定濃度で塩酸供給業者へ送ることができると共に、高濃度塩酸を搬入した空のタンクローリに希塩酸を積み込んで速やかに発電設備内から排出するので、発電設備内に不要なストック塩酸がなくなる。
【００３３】
よって、例えば小規模な発電プラントの場合に用いる濃塩酸が３５ｔ／日の場合に、約２９ｔ／日の希塩酸が発生するが、その希塩酸を速やかに搬出することができることとなり、排ガス処理における運転コストが低い水銀除去システムを提供することができる。
なお、炭種類による変動は３０ｔ／日（塩素濃度が約３００ｐｐｍの場合）〜１２０ｔ／日（塩素濃度が約１００ｐｐｍの場合）と約４倍変化することになる。
【実施例２】
【００３４】
次に、本発明による実施例に係る排ガス処理システムの第２の実施例について説明する。
図５は、実施例２に係る排ガス処理システムの概略図である。本実施形態に係る排ガス処理システム１０は、図５に示すように、燃料Ｆとして石炭を用いた石炭焚きボイラ１１と、ボイラからの排ガス中の窒素酸化物を除去すると共に、ガス中に塩化水素を噴霧して水銀酸化除去する脱硝装置１３と、窒素酸化物除去後のガス中の熱を回収するエアヒータ１４と、熱回収後のガス中の煤塵を除去する集塵機１５と、除塵後のガス中の硫黄酸化物を除去する脱硫装置１６と、脱硫後のガスを外部に排出する煙突１７と、原料である濃塩酸（３５％塩酸）２１を搬入する搬入タンクローリ２２Ａと、前記濃塩酸（３５％塩酸）を気化して塩化水素２３を得る塩酸気化器２４と、塩酸気化器２４からの副生成物である回収希塩酸２５Ａから残留する残留塩化水素２６を分離すると共に、前記塩酸気化器２４の液面を調整する液面調整器２７と、残留塩化水素２６が分離された回収希塩酸２５Ｂの塩酸濃度を調整する濃度調整タンク２８と、所定濃度に濃度調整された希塩酸２９を貯蔵する副生成物タンク３０と、副生成物タンク３０からの所定濃度の希塩酸２９を搬出する搬出タンクローリ２１Ｂとを具備するものである。
【００３５】
これらの装置の原料の供給量及び使用量、副生成物の生成量、塩化水素の発生量、水銀量の各情報は各々求められており、これらの情報は演算装置（ＣＰＵ）で演算処理されており、各原料供給セクションと塩化水素製造セクションとは図示しないネットワークにより接続されている。
【００３６】
原料供給セクションでは、燃料の種類に応じて使用する塩酸量を決定すると共に、原料を発注すると共に在庫を管理する在庫管理セクションと、原料の購入量を購入すると共に、発生する副生成物の発生量を予想すると共に、生成した副生成物を販売するための物流セクションとからなる。
【００３７】
塩化水素製造セクションには製造された塩化水素の量を排ガス処理システムに通知するための製造管理端末が、在庫管理セクションには、保管している原料の在庫量データを供給システムに通知する在庫管理端末が備えられている。
【００３８】
また、物流セクションには、原料の使用量を監視する管理端末と、生成された副生成物の発生量を監視する管理端末が備えられている。
【００３９】
図６は、供給システムの各要素の構成を示す概念図である。供給システムは、搬入手段端末１００、搬出手段端末１０１、塩化水素供給手段１０２、副生成物管理手段１０３からなる。
そして、これらは、システム管理サーバ１０４を介してネットワーク化されている。
【００４０】
これらの端末は、中央演算装置（ＣＰＵ）、ワークメモリ、システム管理サーバ１０４と送受信を行なうための通信制御インターフェイスを含む。
そして、搬入手段端末１００は、システム管理サーバ１０４を介して受信される受注情報から原料購入処理を行なうのに必要な情報の抽出、在庫確認、購入指示を行なうためのプログラムが格納されている。
【００４１】
更に、搬出手段端末１０１は、副生成物生成手段１０３より送信される生成量の情報を基に販売先顧客への販売量を演算するためのプログラム、販売先顧客へのオークション情報発送フォームを備える。
【００４２】
また、システム管理サーバ１０４は、在庫量管理端末より送信される原料の在庫量データを格納する原料在庫データベース１０５を備え、更に、発生する副生成物の濃度及び量に関するデータを格納する副生成物データベース１０６、及び副生成物販売先顧客に関する情報及び顧客毎に納入に関する履歴を蓄積する顧客情報データベース１０７、副生成物の単位重量当りの価格が記録された副生成物コストデータベース１０８を備える。
【００４３】
そして、塩化水素供給手段１０２は、原料から塩化水素２３の発生量を演算し、これらを分析情報として表示してシステム管理サーバ１０４へ送信するための端末を備える。
【００４４】
一方、副生成物管理手段１０３は、塩化水素を発生した後の副生成物の濃度を計測し、その濃度に応じて濃度調整する濃度調整タンクと、所定濃度の場合には直接貯留する副生成物タンク３０とからなる。
そして、副生成物の濃度に応じて濃度調整をした後に副生成物タンク３０に供給すると共に、これらを副生成物情報として表示して管理サーバ１０４へ送信するための端末を備える。
【００４５】
これに対し、排ガス処理セクションは、ボイラからの排ガスを処理する際の塩化水素の使用量を計測すると共に、排ガス中の水銀量が所定量以下となっているかを監視する。そして、塩化水素の使用量及び排ガス中の水銀濃度は、排ガス処理セクション側管理サーバが常時記録し管理している。
【００４６】
次に、この排ガス処理システム１０における排ガス処理過程の流れを説明する。
まず、ボイラの稼動予定に応じて、所定日数の原料の使用量を予測し、製造側管理サーバが電子メール等により所定の発注情報を含む原料（３５％塩酸）の発注を行なう。
この際の発注情報は、原料（３５％塩酸）の量、希望納期、納入場所等からなる。
【００４７】
受注を受けた塩酸供給業者は、発注情報に基づき、搬入タンクローリ２２Ａにより濃塩酸を届ける。搬入手段端末１００はこの搬入タンクローリ２５の納品情報を確認し、システム管理サーバ１０４により記憶された後登録される。
【００４８】
そして、排ガス処理を行うに際おいて、原料から所定量の塩化水素２３を塩酸気化器２４で製造し、副生成物は液面調整器２７で回収する。回収された副生成物はその濃度が高い場合（例えば２２％以上）には、濃度調整タンク２８に送られ、ここで水４０により所定濃度（２２％）となるように調整され、その後副生成物タンク３０で保管され、その量はシステム管理サーバ１０４に積算記録される。
【００４９】
そして、タンクが空となった搬入タンクローリ２３Ａを移動させ、ここに副生成物タンク３０から積載され、希塩酸（２２％）が満載された搬出タンクローリ２３Ｂとして、塩酸供給業者まで届けられることとなる。
【００５０】
この搬出の際には、予めオークションにより販売先を決定しておく。
このオークションの購入情報は、システム管理サーバ１０４に送信され、顧客情報サーバ１０７に記録させる。
【００５１】
以上の処理がなされた後、システム側管理サーバ１０４を通じて顧客情報データベース１０６に記憶されている情報を基に所定の請求フォーマットを用いて請求書を作成する。
【００５２】
以上により、原料の搬入と、塩化水素の使用に応じて生成した副生成物の再利用のための出荷に対応する処理がなされる。
このような、処理は石炭の炭種類に応じて、変更になる。これは、石炭に含有する塩素の量に応じて、排ガス処理システムにおける塩化水素の使用量が大幅に変動するので、燃料として使用する石炭のデータベースを基にして、塩化水素の使用量を予測している。
これにより、副生成物の生成量の変動を予測することができ、使用量が多い場合には、副生成物の発生量もそれにつれて増大するので、その販売のために、オークションを用いて速やかに売却するようにして、設備内に副生成物の不要なストックを防止するようにしている。
【００５３】
次に、希塩酸のインターネットによるオークション販売の一例について説明する。
（ステップ０）  発電所で使用する石炭の供給計画を元に塩酸の供給計画を策定する。
具体的には、以下のステップ１〜３による。
（ステップ１）  石炭種の性状データから、石炭燃焼排ガスの塩化水素濃度を抽出する。
（ステップ２）  脱硝触媒にて必要な塩化水素濃度（例えば塩化水素濃度３００ｐｐｍ）から、添加する塩化水素量を計算する。なお、添加濃度は、運転実績にあわせて適宜変更する。
（ステップ３）  ステップ２で計算した塩化水素量から、供給する濃塩酸（３５％）量（ａ）を計算する。この際、供給した濃塩酸に含まれる塩化水素の約１／２が希塩酸（２２％）として排出され、排出される塩酸（２２％）量（ｂ）が計算される。
（ステップ４）  この３５％の濃塩酸供給量（ａ）と２２％の希塩酸の排出量（ｂ）から、３５％濃塩酸の購入価格と、２２％塩酸の買取価格と往復の運賃を一式とした逆オークションを行う。
ここで、逆オークションでは、例えばインターネットを用いた入札システムを採用する。
【００５４】
価格の目安は、一例として３５％塩酸の購入価格は市場価格より安くする。一方２２％塩酸の売却価格も市場価格より安く設定する。
この理由は、２２％希塩酸は発電所内に貯留せずに常時引き取る必要があるためである。
【００５５】
これにより、常時適正な売買を行うことができることとなる。また、回収希塩酸の所定濃度の調整についても、水の供給により２０〜２３％の範囲で任意に希塩酸の調整が可能となり、顧客の塩酸濃度に応じて出荷することも可能である。
【産業上の利用可能性】
【００５６】
以上のように、本発明に係る塩化水素供給装置は、廃棄物として排出される希塩酸を所定の濃度の有価な製品として業者に返却することができ、発電所における排ガス処理の塩酸の処理に用いて適している。
【図面の簡単な説明】
【００５７】
【図１】実施例１に係る排ガス処理システムの概略構成図である。
【図２】図１の要部である塩化水素供給装置の概略構成図である。
【図３】塩酸を気化させる際の時間と気化率との関係を示す図である。
【図４】気化率に対応した塩酸濃度と時間との関係を示す図である。
【図５】実施例２に係る排ガス処理システムの概略図である。
【図６】供給システムの各要素の構成を示す概念図である。
【符号の説明】
【００５８】
１１  石炭焚ボイラ
１２  排ガス
１３  脱硝装置
１４  エアヒータ
１５  集塵機
１６  脱硫装置
１７  煙突
２０  塩化水素供給装置
２１  塩酸気化装置
２３  塩化水素
【図１】
0005215673.tif 000002
【図２】
0005215673.tif 000003
【図３】
0005215673.tif 000004
【図４】
0005215673.tif 000005
【図５】
0005215673.tif 000006
【図６】
0005215673.tif 000007